(57)【要約】      （修正有）【課題】遠投性、視認性、回収性全てに優れ、また仕掛けが棚に到着したことを釣り座から判別できる性質を有した遠投カゴ釣り用うきを提供する。【解決手段】うき本体に上部穴及びうき本体下部に設置した垂直棒２の先端に下部穴を設け、釣糸１１が上部穴、下部穴を通るようにし、下部穴の前後にシモリ玉８，９を、また上部穴の前と下部穴後にうき止め６，７を設けることにより、うきの可動範囲を設定することにより、遠投時、使用時、回収時において、うきの支点を変えることを可能にした。【選択図】図１
0003161265.tif 000002
【実用新案登録請求の範囲】
【請求項１】
うき本体の重心より上部と本体下部に備えた垂直棒の下端にそれぞれ上部穴と下部穴を設け，それぞれをうきの支点とし，この二支点の直線上にはうきの移動を阻害する接触物を設けないことによって，うきの使用中には下部穴のみを，回収中には下部穴及び上部穴を支点とすることを可能にした遠投カゴ釣り用のうき。
【請求項２】
請求項１に記載したうきにおいて，支点を２カ所有することから，うき本体には局部的な錘を設ける必要がなく，これによって仕掛けが棚に到達した時点でうきが立姿勢を取るため，釣り座から仕掛けが棚に到達したことを目視することを可能にした遠投カゴ釣り用のうき。
【請求項３】
請求項１に記載したうきにおいて，支点を２カ所有し，かつうき本体に局部的な錘を有さなくても，遠投時に空気抵抗を受けにくい姿勢を保つことにより，遠投性に優れた遠投カゴ釣り用のうき。
【考案の詳細な説明】
【技術分野】
【０００１】  本考案は，遠投カゴ釣り（釣りの仕掛けに撒餌のための籠を付けて行う釣りの方法）用のうきとしての釣り用具に関するものである。
【背景技術】
【０００２】  従来の遠投カゴ釣り用うきは，うき本体中心に釣糸が貫通する穴を有し，その中を釣糸が通過する構造を有するもの（以下「Ａタイプ」と弥する。図４はＡタイプの従来品の例を示す。），及びうき本体中心には釣糸が貫通する穴を有さず，うき本体最下部に設けた穴に釣糸が通過する構造を有するもの（以下「Ｂタイプ」と称する。図５はＢタイプの従来品の例を示す。）に大別される。両タイプとも，うき本体の最下部に鉛製の錘を有する製品が多い。【０００３】  従来品Ａタイプは，遠投時及び回収時には，上部穴（図４の４）及び下部穴（同３）の２点が支点となるが，水面での使用時には上部穴の１点のみが支点となる。従来品Ｂタイプは支点が常にうき本体最下部穴（図５の３）が支点となる。
【考案の概要】
【考案が解決しようとする課題】
【０００４】  従来のうきのうち，Ａタイプのうきは，水面で使用中，支点がうき本体の頂点部にあるため，風や水流の影響でうきが倒れやすく，視認性が阻害される。また，Ｂタイプのうきは，支点がうき本体の下端部にあるため，本体は常時水面に対して垂直の姿勢を保つことができることから，視認性は高い一方，釣り糸を引いてうきを回収する際には，うきが水圧のため回収方向の反対側に傾き，水中に潜る方向の力が浮力に勝るので，回収性を阻害する。【０００５】  また，遠投カゴ釣りにおいては，うきやカゴ等の仕掛け一式を，数十メートルに及ぶ遠方の水面に投入する動作が必要になる。この際，Ｂタイプのうきは，釣糸にうきがぶら下がった姿勢を取っており，投入方向に対し先端１点で支えているため，不規則な動きを起こしやすく，空気の抵抗を強く受けることから遠投性に劣る。【０００６】  加えて，Ａタイプ及びＢタイプのうきのうち，うき本体の下部に錘を有するものは，うきが水面に到達した後，仕掛けが水中の棚（魚の遊泳層）に到達する以前に立姿勢をとるため，うきの下に位置する仕掛けが棚に到達したかどうかを判別できないという問題がある。うき本体の錘を廃すればこの点は解消されるものの，錘を有さない場合，従来型Ａタイプのうきは，水面で立姿勢を取りにくくなるため視認性が劣り，従来型Ｂタイプのうきは遠投時の空気抵抗に逆らいにくくなるため遠投性に著しく劣ることとなる。
【課題を解決するための手段】
【０００７】  本考案によって，従来の前記Ａタイプ及びＢタイプのうきの長所を併せ持ったうき，すなわち視認性・回収性・遠投性に優れ，かつ釣り座から仕掛けが水中の棚に到達したことを判別することのできる機能を持った遠投カゴ釣り用のうきが提供される。【０００８】  以下本考案について図面を参照しながら詳細に説明する。図１はドングリ型流線型をしたうき本体の一実施例である。図１における１はうき本体である。うき本体としては，形状は特に限定されるものではなく，前記１のようなドングリ型流線型や，外にも円錐型や膨出形状など任意の形状が使用され，海水に対して比重が軽い素材が用いられる。また，うき本体の上部には，視認性を向上させるため，ケミカル発光体，ＬＥＤ発光器等を任意に取り替えることのできる発光体を設置することができる。【０００９】  うき本体下端には，図１では２として表す，任意の長さの垂直棒を設ける。垂直棒の下端には，図１では３として表す，釣糸が貫通する下部穴を設ける。下部穴は垂直棒自体に設けるか，垂直棒先端部に環状の部品を取り付けることによって設けてもよい。【００１０】  うき本体の上端には，図１で４として表した上部穴を設ける。上部穴は，うき本体上下方向に貫通する穴を設け，その上端を上部穴として設ける方式で備えてもよいし，うき全体の重心より上方の側面に図２の４のような環状の部品を取り付ける方法で備えてもよい。図１は貫通する穴を設ける方式による実施例であり，図２は側面に部品を取り付ける方法による実施例である。【００１１】  本考案によるうきは，後記のとおり安定性に優れ，うき本体が水面にて常に立姿勢を保つため，従来品のような局部的な錘（図４及び５の１２）の設置は不要である。一方，遠投時に空中でうきを安定させ，遠投性を増すために，一定程度の重量をうきに与える必要があるので，うき本体の中心に金属管又はプラスチック管などを素材とする芯棒を埋め込む（図１の５），前記垂直棒の素材に金属や樹脂成形品を用いるなどの方法で，うき全体の強度を増しつつ，重量を分散させる方法によりこれを実現させる。【００１２】  釣糸は，上部穴及び下部穴を通る。上部穴の上方の釣糸に，図１及び２の６で表す上部うき止めを設け，下部穴の下方の釣糸には同７で表す下部うき止めを設ける。下部穴の前後２カ所に図１及び２の８及び９で表すシモリ玉を設け，釣糸がこの中を通過するようにする。また，シモリ玉が上部うき止めと下部うき止め，及び下部穴を通過しないようにシモリ玉の穴の大きさを調整する。これにより，下部穴は上部うき止めと下部うき止めの範囲で動くことが可能になり，うきの釣糸上の可動範囲もこの範囲に設定される。【００１３】  本考案の別の実施方法として，図３において示すように，うき本体，垂直棒，上部穴をプラスチックの一体成形にて構成することもでき，この場合図１及び２に比して安価に制作することが可能である。
【考案の効果】
【００１４】  本考案により，従来品Ａタイプと従来品Ｂタイプの両方の長所を併せ持ったうきが実現する。【００１５】  うきを水面に浮かせ，うきを使用している時点では，下部穴が支点となり，従来品Ｂタイプのうきのように，うき本体が常時水面に対して垂直の姿勢を保つことができることから，視認性に優れる。【００１６】  釣糸を引いてうきを回収する際には，上部穴及び下部穴が支点となるので，従来品Ａタイプのうきのように，うきの浮力が釣糸を引く力を阻害しないため，回収性に優れる。【００１７】  うき本体に局部的な錘を有さないため，うきの下部の仕掛けが棚に到達するまでは，うきは立姿勢をとらず，棚に到達した段階で立姿勢をとるため，釣り座から仕掛けが棚に到達したことを知ることができる。【００１８】  うきを遠投する際，支点が２カ所あることから，うきが水面に対して平行に近い姿勢を保つことができ，空気抵抗を受けにくいことによって，遠投性に優れる。
【図面の簡単な説明】
【図１】  考案の実施例１の断面図（うき本体を貫通する上部穴を有するもの）
【図２】  考案の実施例２の断面図（うき本体の側面に上部穴を有するもの）
【図３】  考案の実施例３の断面図（実施例２をプラスチックの一体成形で構成したもの）
【図４】  従来型遠投カゴ釣り用うき（Ａタイプ）の断面図
【図５】  従来型遠投カゴ釣り用うき（Ｂタイプ）の断面図
【符号の説明】〔図１〕
１  うき本体
２  垂直棒
３  下部穴
４  上部穴
５  芯棒
６  上部うき止め
７  下部うき止め
８  シモリ玉（上）
９  シモリ玉（下）
１０  発光体
１１  釣糸
〔図２〕
１  うき本体
２  垂直棒
３  下部穴
４  上部穴
６  上部うき止め
７  下部うき止め
８  シモリ玉（上）
９  シモリ玉（下）
１０  発光体
１１  釣糸
〔図３〕
１  うき本体
２  垂直棒
３  下部穴
４  上部穴
６  上部うき止め
７  下部うき止め
８  シモリ玉（上）
９  シモリ玉（下）
１０  発光体
１１  釣糸
〔図４〕
１  うき本体
３  下部穴
４  上部穴
６  上部うき止め
７  下部うき止め
８  シモリ玉（上）
９  シモリ玉（下）
１０  発光体
１１  釣糸
１２  錘
〔図５〕
１  うき本体
２  垂直棒
３  下部穴
６  上部うき止め
７  下部うき止め
８  シモリ玉（上）
９  シモリ玉（下）
１０  発光体
１１  釣糸
１２  錘
【図１】
0003161265.tif 000003
【図２】
0003161265.tif 000004
【図３】
0003161265.tif 000005
【図４】
0003161265.tif 000006
【図５】
0003161265.tif 000007
【手続補正書】
【提出日】平成22年5月7日(2010.5.7)
【手続補正１】
【補正対象書類名】実用新案登録請求の範囲
【補正対象項目名】全文
【補正方法】変更
【補正の内容】
【実用新案登録請求の範囲】
【請求項１】
遠投カゴ釣り用のうきにおいて，中空プラスチック又は比重が海水以下の素材を用いて造られたうき本体に，上下に貫通する穴を設けるか，うき本体の重心より上部の側面に釣糸が通る穴を備えた棒をうき本体から垂直方向に張り出し，またうき本体の下部に先端に穴を持った垂直棒を設置したことを特徴とする遠投カゴ釣り用のうき。